(57)【要約】【課題】印刷機に設置されたコールドフォイル転写のためのアセンブリにおいてフォイルウェブ（５）の案内を改善する。【解決手段】本発明では、コーティングモジュール（２）へのフォイルウェブ（５）の供給、またはコーティングモジュールからの排出領域に安定化機構（３０）が設置されている。この機構は回転式のガイドローラ（３０、３１）から成っており、回転式または傾斜方向に調整可能とすることができる。ガイドローラ（３０、３１）の１つは幅張出しローラとして設置することができる。【選択図】図３
2008273739.tif 000002
【特許請求の範囲】
【請求項１】
転写フォイル（５、５’）の画像形成層を、共通の転写スリット（６、６’）を形成する対向圧胴（４）とプレスローラ（３）を併せもつコーティング装置（２）により、接着剤の画像通りのコーティングを有する印刷枚葉紙に転写するための装置であって、
前記転写フォイル（５）が、そのコーティングされた面を前記対向圧胴（４）上で案内される印刷枚葉紙上に載せて、コーティング層の転写のために圧力下で前記印刷枚葉紙と共に前記転写スリット（６、６’）を通過するように、フォイル貯留ロール（８）から前記プレスロール（３、３’）の周囲を巡ってあるいは前記プレスロール（３、３’）にほぼ正接して案内でき、使用済みの前記転写フォイル（５）が前記転写スリット（６）から排出された後にフォイル集積機構に供給されるようになっている装置において、前記フォイル貯留ロール（８）から前記転写スリット（６、６’）へ前記転写フォイル（５、５’）を案内するためのガイド機構（３０、３１、３２）が、横方向の動きを防止するために前記転写フォイル（５、５’）のウェブに配されている、および前記ガイド機構（３０、３１、３２）および／またはウェブ張力制御装置が前記転写フォイル（５、５’）ウェブに、位置調整可能に配されていることを特徴とする装置。
【請求項２】
前記フォイル貯留ロール（８）から前記転写スリット（６、６’）へと前記転写フォイル（５、５’）を案内するための前記ガイド機構（３０、３１、３２）が、前記転写フォイル（５、５’）ウェブの張力調節のために前記転写フォイル（５、５’）ウェブに位置調整可能に配されていることを特徴とする、請求項１に記載の装置。
【請求項３】
前記フォイルウェブ（５、５’）の横への動きが最大に現われる前記フォイルウェブ（５、５’）の領域に、前記ガイド機構（３０、３１、３２）が実質的に作用するように、前記ガイド機構が、力の作用下で、自由な張力状態の前記フォイルウェブ（５、５’）上に配置されることを特徴とする、請求項１または２に記載の装置。
【請求項４】
フォイルガイド機構として、単一または複数の回転式のフォイル転向ローラまたはガイドローラ（３１、３２）と組み合わされた安定化機構（３０）が、前記転写フォイル（５、５’）を案内するために、力の作用下で、自由な張力状態の前記フォイルウェブ（５、５’）上に設置されることを特徴とする、請求項１から３のいずれか一項に記載の装置。
【請求項５】
前記安定化機構（３０）が、前記フォイルウェブ（５、５’）の前記フォイル貯留ロール（８）から前記転写スリット（６）へと、かつ／または前記転写スリット（６）からフォイル集積ロール（９）へと前記フォイルウェブ（５、５’）を案内するために、回転式のフォイル転向ローラまたはガイドローラ（１４）と組み合わせて設置されていることを特徴とする、請求項２から４のいずれか一項に記載の装置。
【請求項６】
前記回転式のフォイル転向ローラまたはガイドローラ（３１、３２）が、前記フォイルウェブ（５、５’）を案内するために、個別に、または対として、あるいは多重に設置されており、そのため前記転写フォイル（５、５’）が力の作用下で、その平面および搬送方向を横切る方向に偏向されることを特徴とする、請求項４または５に記載の装置。
【請求項７】
前記回転式のフォイル転向ローラまたはガイドローラ（３１、３２）の少なくとも１つが、前記フォイルウェブ（５、５’）を平滑に案内するための幅張出しローラとして設置されていることを特徴とする、請求項６に記載の装置。
【請求項８】
前記回転式のフォイル転向ローラまたはガイドローラ（３１、３２）が、対として、または多重に、それぞれ末端側で共通する支承要素（３４）上に配置されていること、およびそれらが、前記フォイルウェブ（５、５’）を案内する際に、前記フォイル転向ローラまたはガイドローラ（３１、３２）への巻付き量を増減させるために、前記フォイル転向ローラまたはガイドローラ（３１、３２）の軸に平行な軸の周りで旋回可能に設置されていることを特徴とする、請求項７に記載の装置。
【請求項９】
前記回転式のフォイル転向ローラまたはガイドローラ（３１、３２）が、対として、または多重に、それぞれ末端側で共通する支承要素（３４）上に配置されていること、およびそれらが前記フォイルウェブ（５、５’）を案内する際に、ウェブ案内方向の制御のために、前記ローラ軸に平行な軸に対して傾斜方向に調整可能で旋回可能に設置されていることを特徴とする、請求項３から８の一項に記載の装置。
【請求項１０】
前記フォイルウェブ（５、５’）の接触案内領域における単一または複数のガイド機構に、フォイルウェブ（５、５’）の有無を、あるいは前記フォイルガイド機構における前記フォイルウェブ（５、５’）の転向からの反力を捕捉するために、少なくとも１つのセンサ（２３、２５）が配されていることを特徴とする、請求項１から９のいずれか一項に記載の装置。
【請求項１１】
単一または複数のフォイル転向ローラまたはガイドローラ（１４、２４、３１、３２）に、前記フォイルウェブ（５、５’）の前記フォイル転向ローラまたはガイドローラ（１４、２４、３１、３２）の周囲を巡る転向からの反力を捕捉するために、ウェブ張力測定機構（２３、２５）が配されていることを特徴とする、請求項１０に記載の装置。
【請求項１２】
前記フォイルウェブ（５、５’）の前記転写フォイルに接触するフォイル転向ローラまたはガイドローラ（１４、２４、３１、３２）の少なくとも表面にコーティングが施されており、前記コーティングがフォイル材料の付着または前記フォイルウェブ（５、５’）の前記転写フォイルの損傷を阻んでいることを特徴とする、請求項１から１１のいずれか一項または複数項に記載の装置。
【請求項１３】
前記転写フォイル（５、５’）がフォーマットフォイルウェブまたは幅の狭い複数の部分フォイルウェブに区分され、前記部分フォイルウェブが平行に並んで前記転写スリット（６）に供給可能であること、および前記フォーマットフォイルウェブまたは各部分フォイルウェブまたは複数の部分フォイルウェブに、フォイルウェブ（５、５’）の存在を捕捉するために、共通のセンサ（２０、２１、２３、２５）が配されていることを特徴とする、請求項１から１２のいずれか一項または複数項に記載の装置。
【請求項１４】
フォイルウェブ（５、５’）の存在を捕捉するための前記センサ（２０、２１、２３、２５）によって生成された信号が、前記印刷機の機械制御装置および／または前記コーティングモジュール（２）の制御装置に伝達可能であり、前記捕捉信号に基づいて機械制御装置により機械が停止され、または前記フォイルウェブ（５、５’）の張力に影響が与えられることを特徴とする、請求項１から１３のいずれか一項または複数項に記載の装置。
【請求項１５】
フォーマットフォイルウェブまたは部分フォイルウェブとしてのフォイルウェブ（５、５’）の存在を捕捉するための前記センサ（２０、２１、２３、２５）によって生成された信号が、前記安定化機構（３０）の調整および／または前記ロール駆動装置（７）の制御、ならびに／あるいはフォイル貯留ロール（８）および／またはフォイルウェブ（５、５’）のフォイル集積機構と組み合わされた前記ダンシングローラ（１８）および／または制動機構の調整のための機構に伝達可能であることを特徴とする、請求項１４に記載の装置。
【発明の詳細な説明】
【技術分野】
【０００１】
本発明は、請求項１のプレアンブルに記載の、担体フォイルから印刷枚葉紙へ画像形成層を転写する際のフォイルの案内に関する。
【背景技術】
【０００２】
フォイル転写法により印刷枚葉紙上に金属層を作製することは公知である。そのようなものとして、引用文献１には、印刷材およびこの印刷材を使用する印刷装置が記載されている。そこには、給紙部と排紙部を有し、この両アセンブリ間に印刷装置とコーティング装置が配置されている、枚葉紙加工機が示されている。印刷装置の少なくとも１つに、平版印刷法により接着剤パターンが塗布される。この接着剤パターンは冷温印刷法で塗布され、特定の画像形成モチーフを有している。印刷装置に後続する、対向圧胴およびプレスローラ付きのコーティング装置には、フォイル案内機構が設けられている。これは、帯状フォイル、つまり転写フォイルがフォイル貯留ロールから、対向圧胴とプレスローラ間のコーティング装置の転写スリットを通って案内されるように設計されている。帯状フォイルはコーティング装置を通過すると再び送出し側に巻き取られる。転写フォイルは担体層を有しており、その上に例えばアルミニウム製の金属層のような画像形成層を貼り付けることができる。金属層と担体フォイルとの間には、金属層が担体層から剥れ易くなるようにする、剥離層が設けられている。
印刷枚葉紙が印刷装置を通って搬送される際に、それぞれの印刷枚葉紙に接着剤パターンが付与される。その後、印刷枚葉紙はコーティング装置中を案内され、その際に、プレスローラによって、対向圧胴上にある印刷枚葉紙がフォイル材料と結合される。その場合、下向きに配置された金属層が、印刷枚葉紙の接着剤塗布領域と密着結合する。金属層は、印刷枚葉紙がその後続いて搬送された後も、接着剤塗布によるパターン領域でのみ粘着している。つまり、接着剤パターン領域では担体フォイルから金属層が取り除かれる。このようにして使い終った転写フォイルは再び巻き取られる。印刷枚葉紙はコーティングされた状態で並べ置かれる。
そのようなコーティング装置を、例えば印刷機の印刷装置に組み込むことは知られている。公知の装置では、これの組込みがフレキシブルに行えず、また転写フォイルの供給操作が難しいという欠点がある。
【０００３】
フォイルウェブの負荷は、ウェブまたは機械の速度、フォイルロールの巻取り対象およびウェブ張力の変化に応じて調整されるが、この負荷に関連して、フォイルロールからの繰出し時に動きが不均一になる傾向がある。特に、適用モチーフの変化およびいわゆる経路応答性の結果、フォイルウェブは多少とも強い振動傾向を示すので、自由走行領域では搬送方向を横切る方向にビート状の動きを開始する。
いわゆるダンシングローラを有する公知のシステムは、確かにウェブ張力を弱めるように作用することができるが、振動共鳴に陥ったフォイルウェブに対しては、すなわち、そのビート状の横運動に対しては必ずしも十分に鎮静させることができない。
フォイルウェブのビート運動または不規則振動が、貼付け工程においてフォイルウェブの皺形成による品質低下をもたらし、さらにはフォイルの貼付けにおいて誤差をもたらすこともあり得る。
【特許文献１】欧州特許公報第０  ５６９  ５２０  Ｂ１号
【発明の開示】
【発明が解決しようとする課題】
【０００４】
したがって、本発明の課題は、画像形成層を印刷枚葉紙に経済的かつ確実に転写させることができ、しかも取扱いの簡便な装置を提供することである。
【課題を解決するための手段】
【０００５】
この課題は、特許請求項１に記載の特徴を有する装置によって解決される。
【０００６】
有利には、転写フォイルの案内に、転写スリットへの供給および転写スリットからの排出中、転写フォイルをセンサで監視する、給紙機構が使用される。
【０００７】
転写フォイルの供給および排出のための付属装置は、有利には、転写スリットへの供給および転写スリットからの排出を簡単に行い得るガイドローラ様のガイド機構を有する。
【０００８】
フォイルウェブを安定させるために、第１転向ロールまたは繰出しロールと転写スリットまでのフォイルウェブ案内用の第１走行ロールまたはガイド機構との間に安定化機構が配置されている。それによって、フォイルウェブのビート状の動きを効率良く低減することができる。安定化機構は、コーティング装置として機能する印刷装置の外側に設置することができるので、これは非常に簡単に行える。
安定化機構は、フォイルウェブのＳ字形転向路を形成し、その懸垂状態が偏心調整できるように配置されている、例えば回転可能に支承された２つのロール（ガイドローラ）を備えている。
その場合、両方のローラのうち少なくとも一方は幅張出しローラとして構成することができる。それによって、フォイルウェブはその平面内で走行方向を横切る方向に伸ばされ平滑に保たれ、それがまた、工程の障害となる皺形成の低減に寄与している。
フォイルウェブの幅方向、つまり走行方向を横切る方向における位置に影響を与える、つまり位置を調節するために、例えば軸受を介して各ガイドローラを偏心調整可能な支承要素上に傾斜して設置することができ、それにより１対のガイドローラが形成される。
最後に、ガイドローラ対の軸受と組み合わせて、ガイドローラに対するフォイルウェブの巻付き角を変更可能に調整するための旋回軸受を設けることができる。このようにして、操作状態に応じて、フォイルウェブに対するガイドローラのガイド作用および振動緩和作用が微調整可能である。
【０００９】
またフォイルウェブの破損を監視する目的で、ガイドローラを、センサを備える収容要素に取り付けることもでき、それによってガイドローラの旋回位置または軸方向負荷が捕捉可能になる。
【００１０】
ガイドローラの表面コーティングは、フォイル表面でのフォイルの滞留を確実に回避するのに寄与し、この滞留部分が同じウェブまたは他のウェブの望ましくない領域に再転写する危険を軽減する。表面コーティングは、さらに、フォイルウェブを使用不能にしかねない、フォイルウェブ上の転写層の損傷をも回避させる。
【００１１】
上記のガイドローラ上またはその懸垂装置上の上記調整要素はすべて、電気式、空気圧式、または油圧式のアクチュエータを介して制御可能なように選択的に配置することができる。
【００１２】
上記の安定化機構は、同様にフォイル排出側にも取り付けることができる。それによって、排出領域から適用スリットへと逆方向に作用するコーティングモジュール内での皺形成を軽減させ、コーティングの品質を高めることができる。
【００１３】
フォイルウェブ内の亀裂の検出は、超音波センサ技術を用いて、自由走行区画におけるフォイルウェブの直接走査によって行うことができる。
亀裂の検出は、容量センサを用いて、フォイルウェブを接触案内する要素に対する直接走査によって行うこともできる。接触案内する要素は、回転ガイドローラでも静止案内面でもよい。
【００１４】
ウェブ内の亀裂の監視は、そのほか、ガイドローラとは無関係に、ウェブ張力測定機構で間接的に行うこともでき、その場合、ウェブまたはコーティングフォイルを巻き付けた測定ローラの径方向に向いた支承力を測定することにより、フォイルウェブの存在を捕捉することができる。測定増幅器を介して電気信号の評価が行われる。運転中にウェブ張力が最小値を下回り、あるいは最大値を上回って、所定値から逸脱している場合、フォイルに亀裂または過剰負荷があると評価され、機械制御部にその旨通知される。測定機構の組込み位置としては、フォイルウェブの巻上げ機構または繰出し機構のところか、フォイルガイドローラの領域またはダンシングローラのところが考えられる。
【００１５】
本装置は、転写フォイルをより幅の狭い単一または複数の部分フォイルウェブに分割して、フォイルの利用率を改善しようとする場合に、有利に使用できる。上記の方法と組み合わせて、様々な種類のフォイルを並べて使用することもできる。
【００１６】
以下に、本発明を図に基づいてより詳しく説明する。
【発明を実施するための最良の形態】
【００１７】
図１には、少なくとも２基の印刷装置から成る枚葉紙加工機が示されている。両印刷装置は次の目的に使用される。
第１印刷装置で、画像を形成する接着剤パターンが枚葉紙に付与される（塗布装置１）。
その後、後続の印刷装置で印刷枚葉紙と共に転写フォイル５が転写スリット６を通され、その際に転写スリット６中で転写フォイル５が印刷枚葉紙に圧し付けられる（コーティング装置２）。
【００１８】
塗布装置１は、インキ装置１１、プレート胴１２、印刷用ブランケット胴１３および枚葉紙案内圧胴４を有する公知のオフセット印刷装置でよい。また、印刷用ブランケット胴１３が版胴として形成されている、いわゆるニス引きモジュールでもよい。版胴には、インキ装置１１の代わりに、例えばチェンバドクターシステムとして形成されている機構によって、インキまたは接着剤が供給される。
【００１９】
コーティング装置２内の転写スリット６は、プレスローラ３と対向圧胴４とで形成される。この場合プレスローラ３は印刷用ブランケット胴に、対向圧胴４はオフセット印刷装置の対向圧胴に対応するものとすることができる。さらに、プレスローラ３は版胴に、対向圧胴４は枚葉紙印刷機のニス引きモジュールの対向圧胴に対応するものとすることもできる。
【００２０】
転写フォイル５は多層構造になっている。転写層は担体層を有しており、その上に、剥離層を用いて画像形成層が付着される。剥離層は、画像形成層の担体層からの剥離を容易にする働きをする。画像形成層は、例えば金属層、光沢層、テキスチャ層、着色層、あるいは単一または複数の画像パターンを含む層でよい。
フォイル貯留ロール８は、枚葉紙供給側のコーティング装置２に配されている。フォイル貯留ロール８は回転駆動装置７を有している。回転駆動装置７は、転写フォイルをコーティング装置２へ制御下で連続的に供給するのに必要であり、したがって制御可能である。さらに、フォイル供給領域には転向ローラまたは張力ローラが設置されている。それにより、転写フォイルウェブはプレスローラ３に対して常に同じ張力に保たれる。印刷装置の排出側には、図示されているとおり、フォイル集積ロール９がある。使用済みフォイル材はこのフォイル集積ロール９に再び巻き上げられる。ここにも、生産の最適化のために、制御可能な回転駆動装置７を設けることができる。転写フォイル５はまた、排出側では回転駆動装置７によって実質上移動させ、供給側では制動装置によって緊張保持させることができよう。
【００２１】
画像形成層、例えば金属被覆層の印刷用紙への転写工程は、プレスローラ３と対向圧胴４との間の転写スリット６内で行われる。
【００２２】
プレスローラ３’も同様に、図１に略示するように、塗布装置１内で、印刷ブランケット胴１３と圧胴４との間の転写スリットの後に配置し、圧胴４に配することができる。プレスローラ３’を用いて、圧胴４上に保持された枚葉紙に転写フォイル５’を載せて、画像形成接着剤塗布の直後にその場で画像形成層または金属被覆層を配置することができる。
【００２３】
プレスロール３には、ゴムブランケットまたは印刷用ブランケットに匹敵する、例えば合成物質被覆材などのプレス上張り材１０が装着されている。プレス上張り材１０は張力装置の胴溝内に保持される。
【００２４】
このコーティング法の経済性を確保するために、フォイル貯留ロール８から転写スリット６およびフォイル集積ロール９への転写フォイル５の送出しは、画像形成層の転写が行われるべきでないときにはできる限り転写フォイル５が停止するように制御できるようになっている。その場合、転写フォイル５の制御は、枚葉紙を案内する対向圧胴４の咥え爪が収容されている胴溝を通過するときに、フォイルの送出しが停止するように行うことができる。
【００２５】
フォイル利用率の改善は、転写フォイル５をより幅の狭い単一または複数の部分フォイルウェブに分割することによって達成される。
フォイルの転写に利用されるコーティング装置２の内部に、転写フォイル５用のウェブ案内部が示されており、これはフォイルガイドローラ１４を有しており、転写フォイル５はそれにより転写スリット６に案内され、そこから排出される。その場合、コーティング装置２の存在する保護カバー１５中の、フォイル案内部に対応する位置に開口部が設けられている。この開口部は、フォイルウェブ５を容易に供給および排出可能で、それと同時に保護機能が完全に維持されるように形成される。
【００２６】
図１にはフォイル案内の３つの変形形態が示されている。
ａ．  転写フォイル５が、コーティング装置２の塗布装置１に向いた側から転写スリット６へと案内され、プレスロール３にほぼ正接して転写スリット６を通り、反対側に排出される。
ｂ．  転写フォイル５（破線）が、コーティング装置２の、塗布装置１とは反対の側からプレスロール３へと案内され、プレスロール３の周りを巡って転写スリット６を通り、再び同じ側に排出される。
ｃ．  転写フォイル５’（破線）が、塗布装置１内で、印刷装置の給紙側とは反対の側で、プレスローラ３’と圧胴４との間の転写スリット６’に供給され、そこから再び排出され、その際、転写スリット６’はインキまたは接着剤の印捺に用いられる、印刷用ブランケット胴１３と圧胴４との間の印捺スリットの後に配置されている。
【００２７】
図１には、主要変形形態として、プレスローラ３と対向圧胴４との間では、フォイルがほぼ正接方向に、プレスローラ３またはプレスローラ３の包囲材の回転角にして９０°未満分だけ案内される。その場合、フォイルウェブ５はプレスローラ３に対して定義付けされた当接が達成されねばならず、同時にフォイルのサイクル化または転写スリット６における溝通過時のフォイルの停止に対する要件、さらには幅の狭いフォイルウェブ５の使用に対する要件も満たされねばならない。
【００２８】
したがって、本発明に基づく図２および３の実施形態では、フォイルガイドローラ１４における、またはそれらローラ間の転写フォイル５の搬送は、フォイルウェブ５張力の測定技術的検査により監視することができる。
【００２９】
フォイルウェブ案内部には、それに加え、力の測定機構を有する単一または複数のウェブ張力機構２３、２５が設けられている。その原理は、ガイドローラを取り巻くフォイルウェブ５の離反方向に対し、実質上角等分線の方向にあたる、ガイドローラ軸受の放射方向に向けられた力の測定に依拠している。この場合、フォイルまたはウェブの亀裂感知機能は、計測された力に定義付けされた閾値を下回る無視できない低下があった場合に作動することができる。
【００３０】
ウェブ張力測定機構２３は、図２に従って、フォイルウェブ５案内部のフォイル転向ローラ１４のところに配置させることができる。その場合、フォイル転向ローラ１４の軸受に対するフォイルウェブ５の反応力は、好ましくは４５°の角度で、すなわち、ここでは直角であるフォイルウェブ５の転向に対し、内角での実質上角等分線の方向で測定される。
【００３１】
ウェブ張力測定機構２５は、図３に従って、フォイルウェブ５の案内部と連結させた別途設置測定ローラ２４のところに配置させることもできる。その場合、測定ローラ２４の軸受に対するフォイルウェブ５の反応力は、好ましくは、転向するフォイルウェブ５の案内部の内側での角等分線に相当する角度で測定される。それにより、フォイル転向ローラまたはガイドローラ１４における軸受の複雑化が回避される。
【００３２】
フォイルウェブ５の安定化には、図１に描かれているように、第１転向ロール２０と第１走行ロール１４との間に安定化機構３０が配置される。安定化機構３０は、好ましくは、燐接するフォイルガイド素子（ここでは転向ロール２０と走行ロール１４）間のほぼ中央の位置に配置される。それは、コーティング装置２のフォイル繰出し構造部とコーティング装置２の転写スリット６へ通じるフォイル案内部とを橋渡しする領域である。
【００３３】
この配置によって、フォイルウェブ５のビート運動または不規則振動の効果的な抑制が達成される。
【００３４】
安定化機構３０は、例えば、旋回の可能な、軸合わせに関しては必要に応じて偏心移動調整の可能な支承機構３３に、対ガイドローラとして配置されている、回転可能に軸受設置された２つのロール３１、３２（ガイドローラ）を有している。
両ガイドローラ３１、３２の少なくとも１つは、この場合幅張出しローラとして形成することができる。それにより、フォイルウェブ５は走行方向を横切る方向に面が真直ぐ伸ばされ平滑に保たれるので、それがまた、工程進行上障害になる皺形成の低減化に寄与している。
【００３５】
フォイルウェブ５の横方向での制御または調整には、例えば上記の軸受を通じて偏心移動調整の可能な支承機構３３に対し、ガイドローラ３１、３２を傾斜位置に設置することができる。
【００３６】
ガイドローラ３１、３２のフォイルウェブ５に対する案内作用および減衰作用を作動状態に応じて調整できるように、ガイドローラ３１、３２におけるフォイルウェブ５の巻付き包囲角の変更可能な調整用として、最終的には旋回軸受３４を配置することができる。その旋回によって、ガイドローラ３１、３２におけるフォイルウェブ５の巻付き量、つまりその当接面積は増減する。
【００３７】
安定化機構３０の調整および作動は、ウェブ張力制御装置および必要な場合にはウェブ破損監視機構（両装置についてはセンサ２５参照）とも組み合わせることができる。
【００３８】
ウェブ張力測定機構２３、２５では電気信号による評価が行われる。その場合、下記のような幾種類かの異なった作動状態が考えられる。
１．  予備設定可能な最小値を超えるウェブの引張（ウェブ張力）が、フォイルウェブ５の存在を示す信号として評価され、それが機械制御装置に供給される。
２．  予備設定可能なウェブの引張（ウェブ張力）の最大値を超えた場合、その分はダンシングローラ１８、あるいはフォイル貯留ロール８か、またはフォイル集積ロール９のロール駆動装置７を通じて引き下げられる。それにより、フォイルウェブ５の許容外の延伸または亀裂を避けることができる。
３．  予備設定可能なウェブの引張（ウェブ張力）の最小値を下回った場合、ウェブ張力制御器がなお正常に作動しているか否かの応答を求めて点検する。同様にダンシングローラ１８または制動装置を通じて、ウェブ張力を再度高めることができる。それが可能でない場合はウェブの亀裂が認められる。
【００３９】
ウェブ張力を通じて追加取得された実測値としての情報は、特に上記評価との関連で、印刷工程または転写工程の制御に使用することができる。当システムは、その目的に印刷機のガイドステーションに連結することができる。最大および最小のウェブ張力（ウェブの引張）としての要求値は、ガイドステーションを通じて入力可能である。これらの値は、使用転写フォイル５の種類、および被印刷材、接着剤またはプレス上張り材の特性に関連する、コーティングモジュール２での印刷、転写条件に依存することがある。
【００４０】
必要なデータは、インタフェースを通じてフォイル貯留ロールのデータ媒体から直接読み取ることができ、コーティングモジュール２では転写工程の調整からのパラメータの値を用いて変更することができる。
【図面の簡単な説明】
【００４１】
【図１】フォイル転写機構を備える印刷機の概要図である。
【図２】本発明に基づくフォイル制御機構の構造を示す図である。
【図３】本発明に基づくフォイル制御機構の構造を示す図である。
【符号の説明】
【００４２】
１    塗布装置
２    コーティング装置
３    プレスローラ（３’）
４    対向圧胴
５    転写フォイル／フォイルウェブ（５’）
６    転写スリット（６’）
７    ロール駆動装置
８    フォイル貯留ロール
９    フォイル集積ロール
１０    プレス上張り材
１１    インキ装置
１２    プレート胴
１３    ゴムブランケット胴
１４    フォイル転向ローラ／フォイルガイドローラ
１５    印刷装置保護カバー
１６    乾燥機
１７    検査機構
１８    ダンシングローラ
１９    走査ビーム
２０    容量センサ
２１    超音波センサ
２２    走査ビーム
２３    ウェブ張力測定機構
２４    測定ローラ
２５    ウェブ張力測定機構
３０    安定化機構
３１    ガイドローラ
３２    ガイドローラ
３３    支承機構
３４    旋回軸受
【図１】
2008273739.tif 000003
【図２】
2008273739.tif 000004
【図３】
2008273739.tif 000005